(57)【要約】      （修正有）【課題】使用しやすいポータブルトイレを提供する。【解決手段】ポータブルトイレは、バケツ４０と、バケツ４０を収容する収容部１０１を備えた便器本体１００と、便器本体１００に取り付けられた脱臭ダクト７００と、脱臭ダクト７００に接続された脱臭装置７５０と、受け部２１６と、を備えている。脱臭ダクト７００は、収容部１０１に収容されたバケツ４０に向けて開口した吸引口７１１と、脱臭装置７５０に接続される接続口７１２と、脱臭ダクト７００の底に形成された排出孔７１３と、を備えている。受け部２１６は、脱臭ダクト７００の排出孔７１３の下に設けられている。【選択図】図８
2015016154.tif 000002
【特許請求の範囲】
【請求項１】
バケツと、
前記バケツを収容する収容部を備えた便器本体と、
前記便器本体に取り付けられた脱臭ダクトと、
前記脱臭ダクトに接続された脱臭装置と、
受け部と、
を備え、
前記脱臭ダクトは、
前記収容部に収容された前記バケツに向けて開口した吸引口と、
前記脱臭装置に接続される接続口と、
前記脱臭ダクトの底に形成された排出孔と、
を備え、
前記受け部は、前記脱臭ダクトの前記排出孔の下に設けられている、ポータブルトイレ。
【請求項２】
前記受け部は、前記便器本体の前記収容部に繋がる排出路を有する、請求項１に記載されたポータブルトイレ。
【請求項３】
前記脱臭ダクトの底には、前記排出孔に向かって徐々に落ち込んだ凹部が設けられている、請求項１または２に記載されたポータブルトイレ。
【請求項４】
前記脱臭ダクトは、前記便器本体に着脱可能に取り付けられている、請求項１から３までの何れか一つに記載されたポータブルトイレ。
【請求項５】
前記便器本体は、前記脱臭ダクトが取り付けられるダクト取付部を有し、
前記ダクト取付部と前記脱臭ダクトのうち一方には、係合凸部が設けられ、
前記ダクト取付部と前記脱臭ダクトのうち他方には、前記係合凸部と係合可能な係合凹部が設けられている、請求項１から４までの何れか一つに記載されたポータブルトイレ。
【発明の詳細な説明】
【技術分野】
【０００１】
本発明は、ポータブルトイレに関する。
【背景技術】
【０００２】
例えば、特許文献１には、ポータブルトイレ（特許文献１では、携帯用便器と称する。）の脱臭構造が開示されている。ここで開示されたポータブルトイレでは、便器本体の後部に脱臭装置が設けられている。便器本体の上面には、トレイ（特許文献１では、受け板と称する。）が配置されている。当該トレイの内部には、脱臭ダクト（特許文献１では、臭気吸引ダクトと称する。）が形成されている。また、当該トレイの側周面には、脱臭ダクトの吸引口が形成されている。
【先行技術文献】
【特許文献】
【０００３】
【特許文献１】特許第３８２６０２０号公報
【発明の概要】
【発明が解決しようとする課題】
【０００４】
特許文献１のポータブルトイレにおいて、例えば、使用者が立った状態においてポータブルトイレで排尿をする際、その尿が脱臭ダクトの吸引口に入るおそれがあった。このとき、吸引口に入った尿または水等の液体は脱臭ダクト内に溜まる。
【課題を解決するための手段】
【０００５】
ここで提案されるポータブルトイレは、バケツと、バケツを収容する収容部を備えた便器本体と、便器本体に取り付けられた脱臭ダクトと、脱臭ダクトに接続された脱臭装置と、受け部と、を備えている。脱臭ダクトは、収容部に収容されたバケツに向けて開口した吸引口と、脱臭装置に接続される接続口と、脱臭ダクトの底に形成された排出孔と、を備えている。受け部は、脱臭ダクトの排出孔の下に設けられている。
【０００６】
上記ポータブルトイレによれば、例えば、使用者が排尿をする際、その尿が脱臭ダクトの吸引口を介して脱臭ダクト内に入ったとしても、その尿は脱臭ダクトの底に形成された排出孔を介して受け部に流れる。そのため、脱臭ダクト内には、尿等の液体が溜まりにくい。
【０００７】
例えば、受け部は、便器本体の収容部に繋がる排出路を有していてもよい。また、脱臭ダクトの底には、排出孔に向かって徐々に落ち込んだ凹部が設けられていてもよい。
【０００８】
例えば、脱臭ダクトは、便器本体に着脱可能に取り付けられていてもよい。この場合、便器本体は、脱臭ダクトが取り付けられるダクト取付部を有していてもよい。そして、ダクト取付部と脱臭ダクトのうち一方には、係合凸部が設けられ、ダクト取付部と脱臭ダクトのうち他方には、係合凸部と係合可能な係合凹部が設けられていてもよい。
【図面の簡単な説明】
【０００９】
【図１】ポータブルトイレの斜視図である。
【図２】ポータブルトイレの斜視図である。
【図３】ポータブルトイレの斜視図である。
【図４】ポータブルトイレの斜視図である。
【図５】便器本体の平面図である。
【図６】便器本体の平面図である。
【図７】便器本体の平面図である。
【図８】便器本体の前後方向における縦断側面図であり、脱臭ダクトおよびその周辺を示した図である。
【図９】図７のＩＸ−ＩＸ断面における断面図を一部拡大した図である。
【図１０】脱臭ダクトの正面図である。
【図１１】図１０のＸＩ−ＸＩ断面の断面図である。
【図１２】脱臭ダクトの左側の側面図である。
【図１３】脱臭ダクトの背面図である。
【図１４】その他の実施形態に係るポータブルトイレの左右方向を横断した断面図の部分拡大図であり、脱臭装置取付部に脱臭ダクトおよび脱臭装置を配置した状態を示した図である。
【発明を実施するための形態】
【００１０】
以下、本発明の一実施形態に係るポータブルトイレを図面に基づいて説明する。以下の説明において、前、後、左および右は、それぞれ便座に腰掛けた使用者から見た方向を意味しており、図面には、それぞれ符号Ｆ、Ｂｋ、Ｌ、Ｒが付されている。また、各図において同じ作用を奏する部材や部位には、同じ符号を付し、適宜に重複する説明を省略している。ここでは、まず、ポータブルトイレ１０の概要を説明し、その後、ここで提案される脱臭ダクト７００について説明する。
【００１１】
《ポータブルトイレ１０》
図１から図４はそれぞれポータブルトイレ１０の斜視図である。ここで、図１は、蓋２０を上げた状態（蓋２０が開いた状態）を示している。図２は、図１の状態から便座３０を上げ、バケツ４０の蓋４２（バケツ蓋）と、左側の肘掛３００とを取り外した状態を示している。図３は、図２の状態からバケツ４０を取り外した状態を示している。さらに、図４は、図３の状態からトレイ５０（受け板）を取り出した状態を示している。
【００１２】
本実施形態に係るポータブルトイレ１０は、主に高齢者および身障者等のいわゆる要介護者に使用されるものであり、介護用に好適に使用されるトイレである。また、ポータブルトイレ１０は、床に固定されるトイレではなく、移動可能なトイレである。本実施形態では、ポータブルトイレ１０は、樹脂製（樹脂成形品）である。ポータブルトイレ１０は、図１から図４に示すように蓋２０と、便座３０と、バケツ４０と、トレイ５０と、便器本体１００と、背もたれ２５０と、肘掛３００、４００と、脚５００、６００と、脱臭ダクト７００（図７参照）と、脱臭装置７５０（図７参照）と、を備えている。
【００１３】
《蓋２０》
蓋２０は、ポータブルトイレ１０の便座３０に被せられる部材である。本実施形態では、蓋２０は、図１に示すように、矩形の部材であり、後ろ側の縁にヒンジ２１が取り付けられている。蓋２０は、ヒンジ２１を軸にして回動し、背もたれ２５０の前で便座３０の上に配置された姿勢（蓋２０を閉じた姿勢（図示省略））から上方に引き上げられる。本実施形態では、蓋２０は、前後方向の中間部に蝶番２２が取り付けられている。蓋２０は、蝶番２２によって前後方向の中間部で折り曲げることができる。折り曲げられた蓋２０は、背もたれ２５０に設けられた開口２５１を通すことができる。背もたれ２５０に設けられた開口２５１に蓋２０を通すことによって、蓋２０の姿勢は、背もたれ２５０の前で便座３０の上に配置された姿勢（図示省略）と、背もたれ２５０の後ろに引き上げた姿勢（図１に示す状態）とで適宜に変えられる。なお、この蓋２０は、人が座れるように所要の強度を持たせ、かつ、上部にクッションを備えていてもよい。この場合、ポータブルトイレ１０は、便器として使用しない場合には便座３０に蓋２０を被せるとよい。これにより、臭いが拡散するのを防止でき、また、適宜に蓋２０を腰掛けとして利用できるようになる。
【００１４】
《便座３０》
便座３０は、図１に示すように、便器本体１００の上面の中央部分に配置されている。本実施形態では、便座３０は、後部の縁に設けられたヒンジ３１を介して便器本体１００に取り付けられている。そして、便座３０の姿勢は、図１に示すように、便器本体１００の上面に配置された姿勢と、図２に示すように、便器本体１００の上面から引き上げられた姿勢とで適宜に変えられる。本実施形態では、便座３０は、使用者がお尻を受ける座面を有する。便座３０の中央には開口３２が形成されている。
【００１５】
《バケツ４０》
バケツ４０は、使用者の排便を収容するバケツであり、「汚物受け」と称されうる。本実施形態では、バケツ４０は、上部が開口した底が深い有底の容器である。図３および図４に示すように、便器本体１００は、当該バケツ４０を収容する窪んだ収容部１０１を有している。収容部１０１は、「汚水受け」とも称されうる。バケツ４０と収容部１０１は、異形形状であり、バケツ４０は予め定められた向きで収容部１０１に収められる。図２に示すように、バケツ４０の上縁には取っ手４１が取り付けられている。バケツ４０が収容部１０１に収容された状態では、取っ手４１はバケツ４０の後方へ廻される。また、図１に示すように、バケツ４０の開口には蓋４２（バケツ蓋）が装着される。蓋４２は、使用者が排便をするとき、バケツ４０から外されるものである。ポータブルトイレ１０を便器として使用しない場合には、バケツ４０に蓋４２を被せるとよい。これにより、臭いが拡散するのを防止できる。
【００１６】
《トレイ５０》
本実施形態では、図３に示すように、便器本体１００の収容部１０１を囲むように便器本体１００の上部にトレイ５０が置かれている。トレイ５０は、便器本体１００の上面に置かれている。トレイ５０の上には便座３０が配置される。トレイ５０の中央部には、収容部１０１の上部開口に合わせた形状の開口５１が形成されている。トレイ５０の開口５１の縁およびトレイ５０の外縁には、上方に向けて連続して立ち上った壁５２、５３がそれぞれ設けられている。トレイ５０の上に落ちた汚水は、かかる壁５２、５３によってトレイ５０の上面に受けられる。また、トレイ５０には、便座３０のヒンジ３１を取り付ける基部が設けられている。また、トレイ５０には、後方の中央部分に吸引口５５が形成されている。吸引口５５は、バケツ４０内の臭気を脱臭装置７５０へ導くものである。ここでは、吸引口５５は、便器本体１００の左右方向に延びた略長方形状である。
【００１７】
《便器本体１００》
次に、便器本体１００を説明する。ここで、図５は、便器本体１００の平面図であり、便器本体１００からバケツ４０およびトレイ５０等が取り外された状態を示している。便器本体１００は、図４および図５に示すように、収容部１０１と、上面部１０２と、外郭部１０３と、底部１０４とを有している。収容部１０１は、バケツ４０が収められる窪んだ部位である。本実施形態では、図５に示すように、便器本体１００の後部には、脱臭ダクト７００および脱臭装置７５０を取り付ける脱臭装置取付部２１５が設けられている。この脱臭装置取付部２１５は後述する。上面部１０２は、図３および図４に示すように、収容部１０１の上部周辺に設けられている。上面部１０２の上には、図１に示すように、便座３０が配置される。なお、本実施形態では、図２に示すように、上面部１０２の上には、トレイ５０が配置され、図１に示すように、その上に便座３０が配置されている。上面部１０２には、図５に示すように、肘掛取付部２１１、２１２と、背もたれ取付部２１３、２１４とが設けられている。
【００１８】
外郭部１０３は、収容部１０１の少なくとも外側面を囲う部位である。底部１０４は、外郭部１０３の下端から連続し、便器本体１００の底を形成する部位である。ポータブルトイレ１０は、図３に示すように、便器本体１００の少なくとも前面において、上面部１０２の周縁を形成する面１１２（本実施形態では、上面部１０２の周縁の周側面）と、外郭部１０３を形成する面１１３（本実施形態では、外郭部１０３の側面）とが連続している。さらに、外郭部１０３を形成する面１１３と、底部１０４を形成する面１１４とが連続している。そして、ポータブルトイレ１０の脚５００、６００は、図１に示すように、便器本体１００の底部１０４の左右にそれぞれ独立して取り付けられている。
【００１９】
なお、ここで、面が連続しているとは、外観上、面が一連に連なっていることをいう。例えば、ここでは、便器本体１００の少なくとも前面において、ポータブルトイレ１０の外郭部１０３を構成する上面部１０２の周縁を形成する面１１２と、外郭部１０３を形成する面１１３とは、一連に連なっている。また、本実施形態では、便器本体１００は、後述するように上側部材２１０と下側部材２２０とで構成されている。ここで、上側部材２１０と下側部材２２０とは、外側面が一連に連なるように組み合わされている。かかる箇所では、「面が連続している」とする。また、意匠上の多少の凹凸や段差などは、問題としない。
【００２０】
《上側部材２１０と下側部材２２０》
本実施形態では、便器本体１００は、図１に示すように、上側部材２１０と下側部材２２０とで構成されており、上側部材２１０と下側部材２２０とを上下に組み付けた構造を備えている。上側部材２１０の周縁は全周にわたって下方に屈曲している。上側部材２１０には、図５に示すように、バケツ４０が収容される収容部１０１と、上面部１０２とが含まれている。また、上側部材２１０の周縁には、上側部材２１０と下側部材２２０とを組み付けるための複数のねじ穴２１０ｃが形成されている。
【００２１】
下側部材２２０は、図１に示すように、全体として有底の略矩形の箱形状である。下側部材２２０は、一体的な成形品である。下側部材２２０には、外郭部１０３と、底部１０４とが含まれている。底部１０４には、上側部材２１０の収容部１０１の底（図示せず）に対向する部位に開口（図示せず）が形成されている。また、下側部材２２０の周縁には、上側部材２１０に形成されたねじ穴２１０ｃに対応する位置にねじ穴（図示せず）が形成されている。本実施形態では、上側部材２１０の下縁と下側部材２２０の上縁とを互いに内外に嵌め合うことで、上側部材２１０と下側部材２２０とを取り付けている。
【００２２】
次に、便器本体１００の肘掛取付部２１１、２１２に取り付けられる肘掛３００、４００を説明し、その後、肘掛取付部２１１、２１２を説明する。
【００２３】
《肘掛け３００、４００》
本実施形態では、左側の肘掛３００と右側の肘掛４００とは凡そ同様の構成をしている。ここでは、左側の肘掛３００には３００番台の符号を付し、右側の肘掛４００の各部位には、左側の肘掛３００の各部位に対応させて４００番台の符号を付している。以下において、左側の肘掛３００について詳細に説明し、右側の肘掛４００の説明は左側の肘掛３００の説明と重複するため、適宜省略する。なお、括弧内の符号は、右側の肘掛４００に対応した符号である。肘掛３００（４００）は、図１に示すように、肘掛ベース３０１（４０１）と、肘掛本体３０２（４０２）と、を備えている。
【００２４】
《肘掛ベース３０１（４０１）》
肘掛ベース３０１（４０１）は、基部３１１（４１１）と、２本の中空の支柱３１２、３１３（４１２、４１３）と、中空軸３１４（４１４）とを備えている。基部３１１（４１１）は、便器本体１００の肘掛取付部２１１（２１２）の前後方向に沿って配置される長手のプレートである。２本の支柱３１２、３１３（４１２、４１３）は、基部３１１（４１１）の前後両端部に配置されている。基部３１１（４１１）は、２本の支柱３１２、３１３（４１２、４１３）の中間部の下端よりの位置に架け渡されている。
【００２５】
基部３１１（４１１）には、差込穴（図示せず）がある。差込穴は、基部３１１（４１１）の中間部前よりに形成されており、肘掛３００（４００）を上側部材２１０に固定する固定ピン３５０（４５０）（図１参照）を挿し込む貫通した穴である。また、後側の支柱３１３（４１３）の外周面には、上下に連続して後方に突出した係合片３２３（４２３）が設けられている。肘掛ベース３０１（４０１）の中空軸３１４（４１４）は、基部３１１（４１１）よりも高い位置において、前後一対の支柱３１２、３１３（４１２、４１３）に架設されている。図１に示す例では、右側の肘掛ベース４０１の前側の支柱４１２に、トイレットペーパーホルダ６０が取り付けられている。
【００２６】
《肘掛本体３０２（４０２）》
肘掛本体３０２（４０２）は、肘掛部３４１（４４１）と、可動軸３４２、３４３（４４２、４４３）とを備えている。肘掛部３４１（４４１）は、ポータブルトイレ１０の使用者が肘を掛ける部位である。本実施形態では、肘掛部３４１（４４１）は、長手の形状を有しており、ポータブルトイレ１０の左右において前後方向に延びた状態で設けられる。可動軸３４２、３４３（４４２、４４３）は、肘掛部３４１（４４１）の下部の前後に離れた位置において下方に延びている。肘掛本体３０２（４０２）の２本の可動軸３４２、３４３（４４２、４４３）は、肘掛ベース３０１（４０１）の２本の中空の支柱３１２、３１３（４１２、４１３）に挿入されている。
【００２７】
なお、本実施形態では、肘掛３００（４００）は、高さ調節機構３０３（４０３）によって、高さを調節することができる。高さ調節機構３０３（４０３）は、中空軸３１４（４１４）に内装されている。ここでは、かかる高さ調節機構３０３（４０３）によって、肘掛ベース３０１（４０１）の２本の支柱３１２、３１３（４１２、４１３）に対し、肘掛本体３０２（４０２）の可動軸３４２、３４３（４４２、４４３）が挿入された長さが変化する。これによって、便器本体１００に対する肘掛部３４１（４４１）の高さが調整される。
【００２８】
《肘掛取付部２１１、２１２》
便器本体１００の上側部材２１０には、かかる肘掛３００、４００が取り付けられる肘掛取付部２１１、２１２が設けられている。肘掛取付部２１１、２１２は、図５に示すように、上側部材２１０の上面部１０２の左右において、それぞれ肘掛３００、４００を取り付ける位置に設けられている。肘掛取付部２１１、２１２は、それぞれ左右の肘掛３００、４００の下部に対応した形状を有している。
【００２９】
肘掛取付部２１１、２１２は、それぞれ肘掛３００、４００の基部３１１、４１１が嵌る前後に延びた長手の窪み２２１、２２２を有している。当該窪み２２１、２２２には、縦穴２２３、２２４、２２５、２２６と、係合溝２２７、２２８と、鍵穴２３１、２３２が形成されている。
【００３０】
ここで、窪み２２１（２２２）には、肘掛３００（４００）の基部３１１（４１１）（図１参照）が嵌る。また、窪み２２１（２２２）に形成された縦穴２２３、２２５（２２４、２２６）には、基部３１１（４１１）から下方に突出した支柱３１２、３１３（４１２、４１３）の下側部がそれぞれ嵌る。窪み２２１（２２２）に形成された係合溝２２７（２２８）には、肘掛３００（４００）の基部３１１（４１１）の下面から下方に突出した係合突起（図示せず）が嵌る。さらに、窪み２２１（２２２）に形成された鍵穴２３１（２３２）は、肘掛３００（４００）の基部３１１（４１１）に形成された差込穴に対応する位置に形成されている。当該肘掛３００（４００）は、支柱３１２、３１３（４１２、４１３）の下側部を、便器本体１００の肘掛取付部２１１（２１２）の縦穴２２３、２２５（２２４、２２６）に挿入し、基部３１１（４１１）を窪み２２１（２２２）に嵌める。そして、基部３１１（４１１）に形成された差込穴、および、鍵穴２３１（２３２）に固定ピン３５０（４５０）（図１参照）を装着する。これによって、肘掛３００（４００）を便器本体１００に固定することができる。
【００３１】
また、肘掛ベース３０１（４０１）の後側の支柱３１３（４１３）の外周面に、上下に連続して後方に突出した係合片３２３（４２３）は、図１に示すように、背もたれ２５０に形成された係合溝２５６、２５７にそれぞれ係合している。
【００３２】
《背もたれ２５０》
次に、ポータブルトイレ１０の背もたれ２５０を説明する。背もたれ２５０は、図１に示すように、便器本体１００の上部における後部に設けられている。背もたれ取付部２１３、２１４は、図５に示すように、便器本体１００の上面において、後部の左右両側にそれぞれ設けられている。背もたれ２５０は、図１に示すように、便器本体１００の上面において、蓋２０を折り曲げた状態で後方に通すことができる開口２５１を有している。この背もたれ２５０は、左右の柱部２５２、２５３と、背もたれ部２５４と、クッション２５５とを備えている。柱部２５２、２５３は、ポータブルトイレ１０の背部において、便器本体１００の左右両側に設けられた背もたれ取付部２１３、２１４に取り付けられる。柱部２５２、２５３は、便器本体１００の背もたれ取付部２１３、２１４から上方に立ち上っている。背もたれ部２５４は、柱部２５２、２５３の上端に架け渡されている。クッション２５５は、背もたれ部２５４の前面に取り付けられている。
【００３３】
《脚５００、６００》
次に、脚５００、６００は、図１に示すように、それぞれ２本の脚部５０１、５０２（６０１、６０２）と、フロントベース部５０３（６０３）と、リヤベース部５０４（６０４）と、連結部５０５（６０５）とを備えている。なお、ここで、左側の脚５００の各部材および部位には５００番台の符号を付している。右側の脚６００の各部材および部位には、左側の脚５００に対応させて、６００番台の符号を付している。また、右側の脚６００の、脚部６０２と、リヤベース部６０４と、連結部６０５とは、図１において、便器本体１００に隠れており、図示されていない。右側の脚６００の脚部６０２と、リヤベース部６０４と、連結部６０５とは、それぞれ左側の脚５００の脚部５０２と、リヤベース部５０４と、連結部５０５と凡そ左右が対象な構造を有している。
【００３４】
２本の脚部５０１、５０２（６０１、６０２）は、便器本体１００の左右において、それぞれ前後に配置されている。ここでは、詳しい説明を省略するが、脚部５０１、５０２（６０１、６０２）は、長さを調節する機構を備えている。脚部５０１、５０２（６０１、６０２）の長さを調節することによって、ポータブルトイレ１０の便座３０の高さを調整することができる。
【００３５】
フロントベース部５０３（６０３）は、前側の脚部５０１（６０１）の下端から前方に延びた部位である。リヤベース部５０４（６０４）は、後ろ側の脚部５０２（６０２）の下端から後方に延びた部位である。本実施形態では、リヤベース部５０４（６０４）の後端には、キャスター５０６（６０６）が取り付けられている。図１では、右側のリヤベース部６０４の後端に取り付けられたキャスター６０６も、便器本体１００に隠れている。また、連結部５０５（６０５）は、２本の脚部５０１、５０２（６０１、６０２）の下端を繋ぐように前後方向に延び、フロントベース部５０３、６０３とリヤベース部５０４（６０４）とに連続している。かかる連結部５０５（６０５）によって、フロントベース部５０３、６０３とリヤベース部５０４（６０４）とが一体的になる。
【００３６】
図６および図７は、便器本体１００の平面図である。図６は、図５の状態から、取付部材７６０を脱臭装置取付部２１５に取り付けた状態を示している。図７は、図６の状態から、脱臭ダクト７００および脱臭装置７５０を取付部材７６０に取り付けた状態を示している。図８は、便器本体１００の前後方向における縦断側面図であり、脱臭ダクト７００およびその周辺を示した図である。なお、図８では、便器本体１００の上部にトレイ５０が置かれており、さらに、便器本体１００の収容部１０１には、バケツ４０が収容されている。図８では、便器本体１００の脱臭装置取付部２１５には、取付部材７６０が取り付けられ、取付部材７６０には、脱臭ダクト７００および脱臭装置７５０が取り付けられている。図８では、脱臭装置７５０は外観図である。また、図８では、便座３０は取り外されている。図９は、図７のＩＸ−ＩＸ断面における断面図を一部拡大した図である。本実施形態では、ポータブルトイレ１０は、図５から図７に示すように、バケツ４０（図２参照）と、便器本体１００と、脱臭ダクト７００と、脱臭装置７５０と、受け部２１６と、を備えている。便器本体１００は、バケツ４０を収容する収容部１０１を備えている。脱臭ダクト７００は、図７に示すように、便器本体１００に取り付けられている。脱臭装置７５０は、脱臭ダクト７００に接続されている。
【００３７】
以下、本実施形態について、便器本体１００の脱臭装置取付部２１５について説明し、その後、脱臭ダクト７００および脱臭装置７５０について説明する。
【００３８】
《脱臭装置取付部２１５》
本実施形態では、脱臭装置取付部２１５は、図５に示すように、便器本体１００の上側部材２１０の後部に設けられている。ここでは、脱臭装置取付部２１５には、図７に示すように、取付部材７６０を介して脱臭ダクト７００および脱臭装置７５０が取り付けられる。脱臭装置取付部２１５は、図５に示すように、凹部２１５ｂと窪み２１５ｃとを有している。凹部２１５ｂは、便器本体１００の後部の中央部分が前方に向かって凹んだ部位である。凹部２１５ｂには、脱臭装置７５０が配置される。窪み２１５ｃは、便器本体１００の後部の中央部分が下方に凹んだ部位である。窪み２１５ｃには、脱臭ダクト７００が配置される。また、脱臭装置取付部２１５の周縁部には、取付部材７６０を取り付けるための複数の取付孔２１０ｄが形成されている。
【００３９】
また、図８に示すように、当該窪み２１５ｃの底は、平らになっており、便器本体１００の後部から収容部１０１に向かって斜め下方に延びている。ここでは、脱臭ダクト７００が取付部材７６０を介して窪み２１５ｃに取り付けられた際、窪み２１５ｃの底のうち、後述する脱臭ダクト７００の排出孔７１３を介して流れる液体を受け止める受け部２１６として機能する。また、窪み２１５ｃの底は、収容部１０１に繋がる排出路２１６ａとして機能する。
【００４０】
《取付部材７６０》
取付部材７６０は、図６から図８に示すように、脱臭装置収容部７６１と、ダクト取付部７６２と、便器本体１００に取り付けられる取付部（フランジ７６３）と、を備えている。脱臭装置収容部７６１は、脱臭装置７５０が収容される部位である。脱臭装置収容部７６１は、脱臭装置７５０に応じた形状をしており、本実施形態では、略矩形の容器形状である。脱臭装置収容部７６１において、上部および後面上部は大きく開口している。また、脱臭装置収容部７６１の底面の中央部分には、孔７６４が形成されている。
【００４１】
ダクト取付部７６２は、脱臭ダクト７００が取り付けられる部位である。ダクト取付部７６２は、脱臭装置収容部７６１の前面上部に設けられている。本実施形態では、脱臭装置収容部７６１の前面上部の中央部分は凹んでいる。ダクト取付部７６２は、この凹んだ部位の前側に設けられている。ダクト取付部７６２は、側壁７６２ａ、７６２ｂと、底壁７６２ｃとを有している。側壁７６２ａ、７６２ｂは、図６に示すように、脱臭装置収容部７６１の前面の凹んだ部位の左右両側の縁からそれぞれ前方に突出している。側壁７６２ａ、７６２ｂは、それぞれ係合凹部７６５、７６６を有している。この係合凹部７６５、７６６は、側壁７６２ａ、７６２ｂの対向する面に設けられている。係合凹部７６５、７６６は、互いに対向している。ここでは、係合凹部７６５、７６６は、側壁７６２ａ、７６２ｂの上端から中央部分に至る直線状の溝である。
【００４２】
底壁７６２ｃは、脱臭装置収容部７６１の前面の凹んだ部位の下縁から前方に突出している。底壁７６２ｃの左右両側は、ダクト取付部７６２の側壁７６２ａ、７６２ｂと連続している。また、底壁７６２ｃには、切り欠き７６７が形成されている。この切り欠き７６７は、ダクト取付部７６２の底壁７６２ｃの前端の中央部分に形成されており、半円弧状である。この切り欠き７６７には、後述する脱臭ダクト７００の底の凸部７２１ａ（図９参照）が収容される。
【００４３】
取付部材７６０のフランジ７６３は、便器本体１００の脱臭装置取付部２１５に取り付けられる部位である。本実施形態では、フランジ７６３は、脱臭装置収容部７６１およびダクト取付部７６２の上端から左右両側の外方へ延びている。また、フランジ７６３は、ダクト取付部７６２の側壁７６２ａ、７６２ｂと連続している。ここでは、フランジ７６３には、便器本体１００の脱臭装置取付部２１５の周囲に設けられた取付孔２１０ｄに対応した位置に、取付ピン７６３ａが設けられている。取付ピン７６３ａは、フランジ７６３の下面から下方に向かって突出している。
【００４４】
かかる取付部材７６０を便器本体１００の脱臭装置取付部２１５に取り付ける。このとき、取付部材７６０のダクト取付部７６２は、図９に示すように、脱臭装置取付部２１５の窪み２１５ｃに嵌る。図６に示すように、取付部材７６０の脱臭装置収容部７６１は、脱臭装置取付部２１５の凹部２１５ｂに配置される。取付部材７６０のフランジ７６３は、便器本体１００における脱臭装置取付部２１５の周縁部に重ねられる。フランジ７６３の下面に設けられた取付ピン７６３ａは、便器本体１００の取付孔２１０ｄに嵌められる。
【００４５】
《脱臭装置７５０》
次に、脱臭装置７５０について説明する。脱臭装置７５０は、図８に示すように、ケース７５２と、蓋７５３と、を備えている。ケース７５２は、略矩形の容器であり、上端が開口している。ここでは、ケース７５２は、前側部材７５２ａと、後側部材７５２ｂとを有している。前側部材７５２ａは、ケース７５２を前後に半割した状態における前側部分を構成している。後側部材７５２ｂは、ケース７５２を前後に半割した状態における後側部分を構成している。前側部材７５２ａと後側部材７５２ｂとを組み合わせることによって、上端が開口した矩形の容器となる。蓋７５３は、前側部材７５２ａと後側部材７５２ｂとを組み合わせたケース７５２の上端を閉じる部材である。ここでは、ケース７５２には、臭気を吸引するための臭気吸引ファン（図示せず）、および、取り込んだ臭気を脱臭するための脱臭剤（図示せず）等が内装されているとよい。
【００４６】
また、ケース７５２の前面の上部には、吸引口７５４が形成されている。吸引口７５４は、脱臭装置７５０内に臭気を取り込む部位である。また、吸引口７５４の周縁には、ケース７５２の前面から前方へ立ち上った立ち上り部７５５が設けられている。また、ケース７５２の底面には、排出口（図示せず）が形成されている。この排出口は、脱臭装置７５０内に取り込まれた臭気が脱臭剤によって脱臭され、その脱臭された空気が排出される部位である。
【００４７】
《脱臭ダクト７００》
次に、脱臭ダクト７００について説明する。図１０は、脱臭ダクト７００の正面図である。図１１は、図１０のＸＩ−ＸＩ断面の断面図である。図１２は、脱臭ダクト７００の左側の側面図である。図１３は、脱臭ダクト７００の背面図である。
【００４８】
脱臭ダクト７００は、図７に示すように、便器本体１００に取り付けられている。本実施形態では、脱臭ダクト７００は、便器本体１００の上側部材２１０の後部に設けられた脱臭装置取付部２１５に配置される。詳しくは、脱臭ダクト７００は、取付部材７６０のダクト取付部７６２を介して脱臭装置取付部２１５の窪み２１５ｃに取り付けられる。ここでは、脱臭ダクト７００は、便器本体１００の前後方向に開口する略筒状体の部材である。また、脱臭ダクト７００は、取付部材７６０のダクト取付部７６２に嵌るような外観形状である。脱臭ダクト７００は、図９から図１２に示すように、吸引口７１１と接続口７１２と排出孔７１３とを備えている。
【００４９】
《吸引口７１１》
吸引口７１１は、図７に示すように、便器本体１００の収容部１０１に収容されたバケツ４０に向けて開口している。この吸引口７１１は、バケツ４０およびその周辺の臭気を脱臭ダクト７００内に引き込む部位である。脱臭ダクト７００の吸引口７１１は、脱臭ダクト７００が脱臭装置取付部２１５に配置された状態において、便器本体１００の上面に置かれたトレイ５０の吸引口５５の後ろに配置される。脱臭ダクト７００の吸引口７１１は、トレイ５０の吸引口５５と前後に繋がっている。脱臭ダクト７００の吸引口７１１は、トレイ５０の吸引口５５と略同じ大きさである。吸引口７１１は、図１０に示すように、脱臭ダクト７００の左右方向に広がった略長方形状である。
【００５０】
《接続口７１２》
接続口７１２は、脱臭装置７５０に接続される部位である。また、接続口７１２は、脱臭ダクト７００に導入された臭気を脱臭装置７５０へ送る部位でもある。接続口７１２は、図１３に示すように、略四角形状である。本実施形態では、図８に示すように、接続口７１２には、脱臭装置７５０の吸引口７５４の周縁から前方に立ち上った立ち上り部７５５が挿入される。そのため、図９に示すように、接続口７１２は、脱臭装置７５０の立ち上り部７５５の外周縁よりも若干大きく開口している。
【００５１】
《排出孔７１３》
排出孔７１３は、図１１に示すように、脱臭ダクト７００の底に形成されている。排出孔７１３は、脱臭ダクト７００内に入り込んだ尿等の液体を脱臭ダクト７００の外部へ排出するための部位である。ここでは、排出孔７１３は、脱臭ダクト７００の底の中央部分に形成されている。排出孔７１３は、略円形状である。
【００５２】
《凹部７２１》
本実施形態では、脱臭ダクト７００の底には、凹部７２１が設けられている。ここでは、凹部７２１は、脱臭ダクト７００の底の中央部分に設けられている。そして、凹部７２１の中央部分には、排出孔７１３が形成されている。この凹部７２１は、図１０に示すように、排出孔７１３に向かって徐々に落ち込んでいる。詳しくは、凹部７２１は、排出孔７１３に向かう程、傾斜角度が大きくなる曲線状の斜面となっている。ここでは、脱臭ダクト７００の底の外側には、凹部７２１に応じて下方に突出した凸部７２１ａがある。
【００５３】
《係合凸部７２３、７２４》
本実施形態では、図１２および図１３に示すように、脱臭ダクト７００の左右両側面の外側には、それぞれ係合凸部７２３、７２４が設けられている。この係合凸部７２３、７２４は、脱臭ダクト７００を取付部材７６０のダクト取付部７６２に取り付ける際、それぞれダクト取付部７６２の側壁７６２ａ、７６２ｂに設けられた係合凹部７６５、７６６と係合可能な部位である。ここでは、係合凸部７２３、７２４は、それぞれ脱臭ダクト７００の左右両側面の中央部分において、上下方向に縦長な楕円形状である。係合凸部７２３、７２４は、それぞれ脱臭ダクト７００の左右両側面から外方へ突出している。
【００５４】
なお、本実施形態では、図１２に示すように、脱臭ダクト７００の前面を形成する部位は、吸引口７１１の下縁から脱臭ダクト７００の底に形成された排出孔７１３に向かって下方斜め後ろへ延びている。詳しくは、脱臭ダクト７００の前面を形成する部位は、吸入口７１１の下縁から、上方に盛り上がった後、急激に下方斜め後ろへ落ち込んでいる。
【００５５】
本実施形態では、脱臭ダクト７００および脱臭装置７５０は、図７に示すように、便器本体１００の脱臭装置取付部２１５に取り付けられた取付部材７６０に取り付けられる。以下、脱臭ダクト７００および脱臭装置７５０を取付部材７６０に取り付ける手順について説明する。
【００５６】
まず、脱臭ダクト７００は、脱臭ダクト７００の吸引口７１１を便器本体１００の収容部１０１に向けて、ダクト取付部７６２の上側から、ダクト取付部７６２に装入される。このとき、脱臭ダクト７００の係合凸部７２３、７２４は、ダクト取付部７６２の両側の係合凹部７６５、７６６の上端にそれぞれ嵌められる。脱臭ダクト７００は、係合凸部７２３、７２４を係合凹部７６５、７６６に挿入しつつ、ダクト取付部７６２に収められる。そして、脱臭ダクト７００は、図９に示すように、係合凸部７２３、７２４の下端がダクト取付部７６２の係合凹部７６５、７６６の下端にそれぞれ当接することによって、位置が定まる。このようにして、脱臭ダクト７００は、ダクト取付部７６２に装着される。このことによって、脱臭ダクト７００は、ダクト取付部７６２に対して前後方向および左右方向にずれなくなる。
【００５７】
脱臭ダクト７００の底には、下方に突出した凸部７２１ａがあり、脱臭ダクト７００がダクト取付部７６２に取り付けられた際に、当該凸部７２１ａは、ダクト取付部７６２の底壁７６２ｃに形成された切り欠き７６７に収まる。このことによって、脱臭ダクト７００は、取付部材７６０に干渉することなく、ダクト取付部７６２の予め定められた位置に配置されている。また、脱臭ダクト７００の排出孔７１３の下方には、便器本体１００の収容部１０１に設けられた受け部２１６が配置されている。
【００５８】
次に、取付部材７６０に脱臭装置７５０が取り付けられる。脱臭装置７５０は、取付部材７６０の脱臭装置収容部７６１に収容される。図８に示すように、脱臭装置収容部７６１において、上部および後面上部が大きく開口しており、脱臭装置７５０は、上部を斜め後ろに少し傾けた状態で、脱臭装置収容部７６１の上側から装入される。そして、脱臭装置７５０が脱臭装置収容部７６１に収容されたとき、脱臭装置７５０の吸引口７５４の周縁から前方に立ち上った立ち上り部７５５は、脱臭ダクト７００の接続口７１２に挿入される。かかる立ち上り部７５５が脱臭ダクト７００の接続口７１２に挿入されることによって、脱臭ダクト７００は、便器本体１００の上下方向に対する動きが規制される。以上のようにして、脱臭ダクト７００および脱臭装置７５０は、取付部材７６０を介して便器本体１００の脱臭装置取付部２１５に配置されている。
【００５９】
本実施形態では、図８に示すように、脱臭ダクト７００および脱臭装置７５０を取付部材７６０に取り付けた状態において、便器本体１００の上部にトレイ５０が配置される。トレイ５０の後部には、吸引口５５が形成されている。また、トレイ５０には、吸引口５５の上縁から脱臭ダクト７００の上に延びたカバー部５６がある。トレイ５０が便器本体１００の上部に配置された状態において、脱臭ダクト７００の上にはトレイ５０のカバー部５６が配置される。また、脱臭ダクト７００の吸引口７１１は、トレイ５０の吸引口５５の後ろに配置される。
【００６０】
また、脱臭ダクト７００の吸引口７１１は、収容部１０１に向けて開口しており、便器本体１００の収容部１０１にバケツ４０が収容された際に、脱臭ダクト７００の吸引口７１１は、バケツ４０に向かって開口している。
【００６１】
このように、脱臭ダクト７００は、便器本体１００からバケツ４０およびトレイ５０が取り外された状態において、便器本体１００に取り付けられた取付部材７６０に対して着脱可能に取り付けられている。換言すると、脱臭ダクト７００は、便器本体１００に対して着脱可能に取り付けられている。
【００６２】
このように、脱臭ダクト７００および脱臭装置７５０が脱臭装置取付部２１５に配置されたポータブルトイレ１０では、収容部１０１に収容されたバケツ４０内の臭気を脱臭することができる。図８において、便器本体１００の上面に便座３０が配置された状態（図１において、蓋４２が取り外された状態）で、使用者はポータブルトイレ１０を使用する。使用者は、便座３０の開口３２にお尻を置き、排便をする。このとき、バケツ４０の上方は、便座３０および使用者のお尻によって閉じられているため、排便によって発生する臭気は、バケツ４０内に留まる。このような状態において、脱臭装置７５０の臭気吸引ファンを作動させると、バケツ４０内の臭気は、トレイ５０の吸引口５５および脱臭ダクト７００の吸引口７１１を介して、脱臭ダクト７００内に導入される。そして、脱臭ダクト７００内に導入された臭気は、脱臭ダクト７００の接続口７１２および脱臭装置７５０のケース７５２の吸引口７５４を介して脱臭装置７５０内へ導入される。
【００６３】
以上のように、本実施形態では、図８に示すように、ポータブルトイレ１０は、バケツ４０と、バケツ４０を収容する収容部１０１を備えた便器本体１００と、便器本体１００に取り付けられた脱臭ダクト７００と、脱臭ダクト７００に接続された脱臭装置７５０と、受け部２１６と、を備えている。脱臭ダクト７００は、収容部１０１に収容されたバケツ４０に向けて開口した吸引口７１１と、脱臭装置７５０に接続される接続口７１２と、脱臭ダクト７００の底に形成された排出孔７１３と、を備えている。受け部２１６は、脱臭ダクト７００の排出孔７１３の下に設けられている。例えば、使用者が排尿をする際、その尿が脱臭ダクト７００の吸引口７１１を介して脱臭ダクト７００内に入るおそれがある。しかし、本実施形態では、脱臭ダクト７００に入った尿は、脱臭ダクト７００の底に形成された排出孔７１３を介して脱臭ダクト７００の下に設けられた受け部２１６に流れる。そのため、脱臭ダクト７００内には、尿等の液体が溜まりにくい。
【００６４】
また、本実施形態では、脱臭ダクト７００の底には、図１１に示すように、排出孔７１３に向かって徐々に落ち込んだ凹部７２１が設けられている。このことによって、脱臭ダクト７００内に入った尿等の液体が、脱臭ダクト７００の排出孔７１３を通じて、受け部２１６に流れやすくなる。尿等の液体が脱臭ダクト７００に溜まりにくくなる。
【００６５】
本実施形態では、受け部２１６は、便器本体１００の収容部１０１に繋がる排出路２１６ａを有する。このことによって、受け部２１６に流れた尿等の液体は、排出路２１６ａを通じて収容部１０１へ流れる。よって、脱臭ダクト７００内に入り込んだ液体を便器本体１００の収容部１０１に溜めることができる。
【００６６】
本実施形態では、脱臭ダクト７００は、便器本体１００に着脱可能に取り付けられている。このことによって、脱臭ダクト７００が汚れた場合、脱臭ダクト７００を便器本体１００から取り外して脱臭ダクト７００のみを洗浄することができる。また、脱臭ダクト７００が破損した場合、破損した脱臭ダクト７００を新しい脱臭ダクトに容易に交換することができる。よって、脱臭ダクト７００のメンテナンス性が向上する。
【００６７】
本実施形態では、便器本体１００には、図９に示すように、脱臭ダクト７００を取り付けるダクト取付部７６２が設けられている。脱臭ダクト７００には、係合凸部７２３、７２４が設けられている。そして、ダクト取付部７６２には、係合凸部７２３、７２４と係合可能な係合凹部７６５、７６６が設けられている。このことによって、脱臭ダクト７００の係合凸部７２３、７２４と便器本体１００のダクト取付部７６２の係合凹部７６５、７６６とを係合させることで、脱臭ダクト７００を便器本体１００に簡単に取り付けることができる。よって、脱臭ダクト７００のメンテナンス性が向上する。
【００６８】
以上、ここで提案されるポータブルトイレの一実施形態を例示したが、本発明は、特に言及されない限りにおいて、上述した実施形態に限定されるものではない。
【００６９】
上述した実施形態では、図９に示すように、脱臭ダクト７００に係合凸部７２３、７２４が形成されていた。そして、便器本体１００の脱臭装置取付部２１５取り付けられた取付部材７６０のダクト取付部７６２には、係合凸部７２３、７２４と係合可能な係合凹部７６５、７６６が形成されていた。しかし、図１４に示すように、取付部材７６０のダクト取付部７６２に係合凸部７７１、７７２が形成されていてもよい。この場合、脱臭ダクト７００には、ダクト取付部７６２の係合凸部７７１、７７２と係合可能な係合凹部７２５、７２６が形成されているとよい。このように、便器本体１００には、脱臭ダクト７００を取り付けるダクト取付部７６２が設けられているとよい。そして、ダクト取付部７６２と脱臭ダクト７００のうち一方には、係合凸部が形成され、ダクト取付部７６２と脱臭ダクト７００のうち他方には、係合凸部と係合可能な係合凹部が形成されているとよい。
【００７０】
上述した実施形態では、脱臭ダクト７００の底には、排出孔７１３が一つ形成されていた。しかし、この排出孔７１３は、脱臭ダクト７００内の尿等の液体が脱臭ダクト７００の外部（受け部２１６）へ排出されるものであれば、その個数は特に限定されない。例えば、２つ以上の排出孔が脱臭ダクト７００の底に形成されていてもよい。
【００７１】
上述した実施形態では、脱臭ダクト７００の底に形成された排出孔７１３は、略円形状であった。ただし、この排出孔７１３は、脱臭ダクト７００内の尿等の液体が脱臭ダクト７００の外部（受け部２１６）へ排出されるものであればよい。例えば、排出孔７１３は、略四角形状であってもよい。
【００７２】
上述した実施形態では、脱臭ダクト７００および脱臭装置７５０を取り付ける取付部材７６０は、便器本体１００と別体で形成されていた。しかし、取付部材７６０は、便器本体１００と一体成形されていてもよい。
【００７３】
上述した実施形態では、受け部２１６は、便器本体１００に一体成形されていた。しかし、受け部２１６は、便器本体１００と別体であって、便器本体１００に取り付けられるものであってもよい。
【符号の説明】
【００７４】
１０  ポータブルトイレ
２０  蓋
２１  ヒンジ
２２  蝶番
３０  便座
３１  ヒンジ
３２  便座の開口
４０  バケツ
４１  取っ手
４２  バケツ蓋
５０  トレイ
５１  トレイの開口
５４  基部
５５  吸引口
５６  カバー部
６０  トイレットペーパーホルダ
１００  便器本体
１０１  収容部
１０２  上面部
１０３  外郭部
１０４  底部
２１１、２１２  肘掛取付部
２１３、２１４  背もたれ取付部
２１５  脱臭装置取付部
２１５ｂ  凹部
２１５ｃ  窪み
２１６  受け部
２１６ａ  排出路
２２１、２２２  窪み
２２３〜２２６  縦穴
２２７、２２８  係合溝
２３１、２３２  鍵穴
２５０  背もたれ
２５１  開口
２５２、２５３  柱部
２５４  背もたれ部
２５５  クッション
２５６、２５７  係合溝
３００、４００  肘掛
３０１、４０１  肘掛ベース
３０２、４０２  肘掛本体
３１１、４１１  基部
３１２、３１３（４１２、４１３）  支柱
３１４、４１４  中空軸
３２３、４２３  係合片
３４１、４４１  肘掛部
３４２、３４３（４４２、４４３）  可動軸
３５０、４５０  固定ピン
５００、６００  脚
５０１、５０２（６０１、６０２）  脚部
５０３、６０３  フロントベース部
５０４、６０４  リヤベース部
５０５、６０５  連結部
５０６、６０６  キャスター
７００  脱臭ダクト
７１１  吸入口
７１２  接続口
７１３  排出孔
７２１  凹部
７２３、７２４  係合凸部
７５０  脱臭装置
７５２  ケース
７５２ａ  前側部材
７５２ｂ  後側部材
７５３  蓋
７５４  吸引口
７５５  立ち上り部
７６０  取付部材
７６１  脱臭装置収容部
７６２  ダクト取付部
７６２ａ、７６２ｂ  側壁
７６２ｃ  底壁
７６３  フランジ
７６３ａ  取付ピン
７６４  孔
７６５、７６６  係合凹部
７６７  切り欠き
【図１】
2015016154.tif 000003
【図２】
2015016154.tif 000004
【図３】
2015016154.tif 000005
【図４】
2015016154.tif 000006
【図５】
2015016154.tif 000007
【図６】
2015016154.tif 000008
【図７】
2015016154.tif 000009
【図８】
2015016154.tif 000010
【図９】
2015016154.tif 000011
【図１０】
2015016154.tif 000012
【図１１】
2015016154.tif 000013
【図１２】
2015016154.tif 000014
【図１３】
2015016154.tif 000015
【図１４】
2015016154.tif 000016